(57)【特許請求の範囲】
【請求項１】
ディスクカートリッジ(10)をカートリッジ排出位置から記録／再生位置まで移動させると共に、記録／再生位置のディスクカートリッジ(10)に対して磁気ヘッド(61)を接近させるディスクカートリッジローディング装置において、モータ(71)によって回転駆動されるピニオン(72)と、該ピニオン(72)と噛合するラック(24)が形成されたスライド部材(２)とを具え、該ラック(24)は、直線上を伸びる直線部(25)と円弧線上を伸びる円弧部(26)とを有して、ピニオン(72)がラック(24)の直線部(25)と噛合してスライド部材(２)を往復移動させることにより、ディスクカートリッジ(10)をカートリッジ排出位置とカートリッジ引き込み位置の間で往復移動させ、ピニオン(72)がラック(24)の円弧部(26)と噛合してスライド部材(２)を回動させることにより、ディスクカートリッジ(10)をカートリッジ引き込み位置と記録／再生位置の間で往復移動させると共に、記録／再生位置のディスクカートリッジ(10)に対して磁気ヘッド(61)を接近離間させることを特徴とするディスクカートリッジローディング装置。
【請求項２】
ディスクカートリッジ(10)をカートリッジ排出位置からカートリッジ引き込み位置まで移動させた後、該ディスクカートリッジ(10)をカートリッジ引き込み位置から記録／再生位置まで移動させると共に、記録／再生位置のディスクカートリッジ(10)に対して磁気ヘッド(61)を接近させるディスクカートリッジローディング装置において、
ディスクカートリッジ(10)を収容すべきカートリッジホルダー(３)を具え、該カートリッジホルダー(３)の往復移動によってディスクカートリッジ(10)をカートリッジ引き込み位置と記録／再生位置の間で往復移動させるカートリッジホルダー機構と、
カートリッジホルダー(３)内のディスクカートリッジ(10)をカートリッジ排出位置とカートリッジ引き込み位置の間で往復移動させるカートリッジ搬送機構と、
記録／再生位置のディスクカートリッジ(10)に対して磁気ヘッド(61)を接近離間させる磁気ヘッド機構と、
モータ(71)によって回転駆動されるピニオン(72)と、該ピニオン(72)と噛合するラック(24)が形成されたスライド部材(２)とを具え、該ラック(24)は、直線上を伸びる直線部(25)と円弧線上を伸びる円弧部(26)とを有する原動機構
とから構成され、前記原動機構のピニオン(72)がラック(24)の直線部(25)と噛合してスライド部材(２)を移動させることにより、該スライド部材(２)によってカートリッジ搬送機構が駆動され、ピニオン(72)がラック(24)の円弧部(26)と噛合してスライド部材(２)を回動させることによって、該回動に連動してカートリッジホルダー機構と磁気ヘッド機構が動作することを特徴とするディスクカートリッジローディング装置。
【請求項３】
カートリッジ搬送機構は、原動機構のスライド部材(２)に係合すると共にカートリッジホルダー(３)内のディスクカートリッジ(10)に係合可能なカートリッジ引き込みレバー(８)を具え、スライド部材(２)の駆動力がカートリッジ引き込みレバー(８)を介してディスクカートリッジ(10)に伝えられる請求項２に記載のディスクカートリッジローディング装置。
【請求項４】
カートリッジホルダー機構は、カートリッジホルダー(３)を記録／再生位置に向かって押圧するバネ手段を具え、原動機構のピニオン(72)がラック(24)の直線部(25)と噛合した状態で、スライド部材(２)は前記バネ手段に抗してカートリッジホルダー(３)を持ち上げ、ピニオン(72)がラック(24)の円弧部(26)と噛合した状態で、スライド部材(２)は前記バネ手段によるカートリッジホルダー(３)の押圧を許容する請求項２又は請求項３に記載のディスクカートリッジローディング装置。
【請求項５】
磁気ヘッド機構は、磁気ヘッド(61)を記録／再生位置のディスクカートリッジ(10)に向かって押圧するバネ手段を具え、原動機構のピニオン(72)がラック(24)の直線部(25)と噛合した状態で、スライド部材(２)は前記バネ手段に抗して磁気ヘッド(61)を持ち上げ、ピニオン(72)がラック(24)の円弧部(26)と噛合した状態で、スライド部材(２)は前記バネ手段による磁気ヘッド(61)の押圧を許容する請求項２乃至請求項４の何れかに記載のディスクカートリッジローディング装置。
【発明の詳細な説明】
【０００１】
【発明の属する技術分野】
本発明は、光磁気ディスク等のディスク状記録媒体を収容したディスクカートリッジを対象として、信号の記録及び／又は再生を行なうディスク記録／再生装置において、ディスクカートリッジをカートリッジ排出位置から記録／再生位置まで移動させると共に、記録／再生位置のディスクカートリッジに対して磁気ヘッドを接近させるディスクカートリッジローディング装置に関するものである。
【０００２】
【従来の技術】
従来、この種のディスクカートリッジローディング装置においては、カートリッジホルダーに挿入されたディスクカートリッジを、先ずカートリッジホルダー内で略水平方向に搬送した後、カートリッジホルダーを略垂直方向に下降させて、ディスクカートリッジを信号記録／再生位置に設置することが行なわれている。
該ディスクカートリッジローディング装置においては、カートリッジホルダー内のディスクカートリッジを往復移動させる第１スライド部材と、カートリッジホルダー又はベースシャーシを昇降させると共に磁気ヘッドを昇降させる第２のスライド部材とを設けて、モータの駆動力を先ず第１スライド部材に伝えて、カートリッジホルダー内のディスクカートリッジをカートリッジ排出位置からカートリッジ引き込み位置まで移動させた後、モータの駆動力を第２スライド部材に伝えて、カートリッジホルダー内のディスクカートリッジをカートリッジ引き込み位置から信号記録／再生位置まで移動させると共に、信号記録／再生位置のディスクカートリッジに対して磁気ヘッドを接近させる。
【０００３】
【発明が解決しようとする課題】
しかしながら、従来のディスクカートリッジローディング装置においては、第１スライド部材の駆動から第２スライド部材の駆動へ動力伝達経路を切り替える必要があるため、機構が複雑となる問題があった。
そこで本発明の目的は、従来よりも簡易な機構でディスクカートリッジをカートリッジ排出位置から記録／再生位置まで移動させることが出来るディスクカートリッジローディング装置を提供することである。
【０００４】
【課題を解決する為の手段】
本発明に係るディスクカートリッジローディング装置は、モータ(71)によって回転駆動されるピニオン(72)と、該ピニオン(72)と噛合するラック(24)が形成されたスライド部材(２)とを具え、該ラック(24)は、直線上を伸びる直線部(25)と円弧線上を伸びる円弧部(26)とを有している。
ピニオン(72)がラック(24)の直線部(25)と噛合してスライド部材(２)を往復移動させることにより、ディスクカートリッジ(10)をカートリッジ排出位置とカートリッジ引き込み位置の間で往復移動させる。
又、ピニオン(72)がラック(24)の円弧部(26)と噛合してスライド部材(２)を回動させることにより、ディスクカートリッジ(10)をカートリッジ引き込み位置と記録／再生位置の間で往復移動させると共に、記録／再生位置のディスクカートリッジ(10)に対して磁気ヘッド(61)を接近離間させる。
【０００５】
上記本発明のディスクカートリッジローディング装置においては、ディスクカートリッジ(10)がカートリッジ排出位置に設置されている状態では、ピニオン(72)はラック(24)の直線部(25)の円弧部(26)とは反対側の端部と噛合しており、この状態からモータ(71)が回転を開始すると、ピニオン(72)がラック(24)を駆動することによって、スライド部材(２)は一方向に移動する。該スライド部材(２)の移動によって、ディスクカートリッジ(10)がカートリッジ排出位置からカートリッジ引き込み位置まで搬送される。
次にピニオン(72)はラック(24)の円弧部(26)と噛合し、ラック(24)が円弧部(26)を駆動することによって、スライド部材(２)は一方向に回動する。該スライド部材(２)の回動に伴って、ディスクカートリッジ(10)がカートリッジ引き込み位置から記録／再生位置まで移動すると共に、記録／再生位置のディスクカートリッジ(10)に対して磁気ヘッド(61)が接近する。
【０００６】
本発明に係るディスクカートリッジローディング装置は、より具体的な構成において、
ディスクカートリッジ(10)を収容すべきカートリッジホルダー(３)を具え、該カートリッジホルダー(３)の往復移動によってディスクカートリッジ(10)をカートリッジ引き込み位置と記録／再生位置の間で往復移動させるカートリッジホルダー機構と、
カートリッジホルダー(３)内のディスクカートリッジ(10)をカートリッジ排出位置とカートリッジ引き込み位置の間で往復移動させるカートリッジ搬送機構と、
記録／再生位置のディスクカートリッジ(10)に対して磁気ヘッド(61)を接近離間させる磁気ヘッド機構と、
モータ(71)によって回転駆動されるピニオン(72)と、該ピニオン(72)と噛合するラック(24)が形成されたスライド部材(２)とを具え、該ラック(24)は、直線上を伸びる直線部(25)と円弧線上を伸びる円弧部(26)とを有する原動機構
とから構成される。
前記原動機構のピニオン(72)がラック(24)の直線部(25)と噛合してスライド部材(２)を移動させることにより、該スライド部材(２)によってカートリッジ搬送機構が駆動され、ピニオン(72)がラック(24)の円弧部(26)と噛合してスライド部材(２)を回動させることによって、該回動に連動してカートリッジホルダー機構と磁気ヘッド機構が動作する。
【０００７】
カートリッジ搬送機構は、原動機構のスライド部材(２)に係合すると共にカートリッジホルダー(３)内のディスクカートリッジ(10)に係合可能なカートリッジ引き込みレバー(８)を具え、スライド部材(２)の駆動力がカートリッジ引き込みレバー(８)を介してディスクカートリッジ(10)に伝えられる。
これによって、ディスクカートリッジ(10)はカートリッジ排出位置からカートリッジ引き込み位置まで移動する。
【０００８】
カートリッジホルダー機構は、カートリッジホルダー(３)を記録／再生位置に向かって押圧するバネ手段を具え、原動機構のピニオン(72)がラック(24)の直線部(25)と噛合した状態で、スライド部材(２)は前記バネ手段に抗してカートリッジホルダー(３)を持ち上げ、ピニオン(72)がラック(24)の円弧部(26)と噛合した状態で、スライド部材(２)は前記バネ手段によるカートリッジホルダー(３)の押圧を許容する。
これによって、カートリッジホルダー(３)内のディスクカートリッジ(10)は、前記バネ手段の付勢力によってカートリッジ引き込み位置から記録／再生位置まで移動し、記録／再生位置に押圧保持される。
【０００９】
磁気ヘッド機構は、磁気ヘッド(61)を記録／再生位置のディスクカートリッジ(10)に向かって押圧するバネ手段を具え、原動機構のピニオン(72)がラック(24)の直線部(25)と噛合した状態で、スライド部材(２)は前記バネ手段に抗して磁気ヘッド(61)を持ち上げ、ピニオン(72)がラック(24)の円弧部(26)と噛合した状態で、スライド部材(２)は前記バネ手段による磁気ヘッド(61)の押圧を許容する。これによって、磁気ヘッド(61)は、ディスクカートリッジ(10)から離間した位置からディスクカートリッジ(10)に向かって付勢され、ディスクカートリッジ(10)のディスク面に圧接される。
【００１０】
【発明の効果】
本発明に係るディスクカートリッジローディング装置によれば、単一のスライド部材によって、ディスクカートリッジ(10)をカートリッジ排出位置からカートリッジ引き込み位置まで移動させた後、該ディスクカートリッジ(10)をカートリッジ引き込み位置から記録／再生位置まで移動させると共に、記録／再生位置のディスクカートリッジ(10)に対して磁気ヘッド(61)を接近させることが出来るので、従来の如く２つのスライド部材によって上記動作を実現する場合に比べて、機構が簡易となる。
【００１１】
【発明の実施の形態】
以下、本発明の実施の形態につき、図面に沿って具体的に説明する。
全体構成
本発明に係るディスクカートリッジローディング装置は、図１に示す如く本体シャーシ(１)上に、ディスクカートリッジ(図示省略)を収容すべきカートリッジホルダー(３)を具え、該カートリッジホルダー(３)の上面には、ホルダー昇降レバー(４)が設置されている。
又、図１に示す如く、本体シャーシ(１)の底板部(12)上には、ピックアップ装置(５)が往復移動可能に配備されている。ピックアップ装置(５)は、図２に示す如くベース(52)上に光学ピックアップ(51)を搭載して構成されている。
【００１２】
又、図１に示す如く、本体シャーシ(１)上には磁気ヘッド装置(６)が回動可能に配備されており、先端部に設けた磁気ヘッド(61)をカートリッジホルダー(３)内のディスクカートリッジ(図示省略)のディスク面に圧接せしめることが可能となっている。
更に又、本体シャーシ(１)の左側の側板部(11)には、スライド部材(２)が設置されており、該スライド部材(２)をモータ(図示省略)の駆動によって往復移動させることによって、ディスクカートリッジのローディングが可能となっている。
【００１３】
尚、ピックアップ装置(５)と磁気ヘッド装置(６)は一体となってディスク半径方向に往復移動し、ディスクカートリッジのディスクに対する信号の記録及び再生を行なう。
【００１４】
カートリッジホルダー機構
図１に示す如く、本体シャーシ(１)は底板部(12)の両側部に一対の側板部(11)(11)を突設して構成され、該本体シャーシ(１)の両側板部(11)(11)間に、カートリッジホルダー(３)が昇降可能に支持されている。カートリッジホルダー(３)は、その上面に図４に示す如くバネ(30)が設置され、該バネ(30)の付勢力によって下方へ押圧されている。
【００１５】
図６に示す如く、ホルダー昇降レバー(４)は、レバー本体(41)の前方両側部に支軸(43)(43)が突設されており、該支軸(43)(43)は図１に示す如く本体シャーシ(１)の両側板部(11)(11)に枢支されている。又、ホルダー昇降レバー(４)には、図６の如くレバー本体(41)の後方に、一対の支軸(45)(45)が突設され、該支軸(45)(45)は、図９に示す如くカートリッジホルダー(３)の上面に設けた一対の軸受け部(31)(31)によって枢支されている。更にホルダー昇降レバー(４)には、図６に示す如くＬ字状の突出部(42)が形成されている。該突出部(42)の先端は、図１の如くスライド部材(２)の上端面(21)と対向している。
【００１６】
上記カートリッジホルダー機構においては、ホルダー昇降レバー(４)が支軸(43)(43)を中心として回動すると、該回動に伴ってカートリッジホルダー(３)が昇降し、該カートリッジホルダー(３)内のディスクカートリッジがカートリッジ引き込み位置と記録／再生位置の間で往復移動することになる。
【００１７】
カートリッジ搬送機構
カートリッジホルダー(３)の側面には、図８(ａ)(ｂ)(ｃ)に示すカートリッジ引き込みレバー(８)が取り付けられている。該カートリッジ引き込みレバー(８)は、ベース(80)の後方端部に回動中心となる枢軸(85)を具え、ベース(80)に突設した弾性片(83)の先端部をカートリッジホルダー(３)の端部に摺接させることによって、ベース(80)に時計方向の回転付勢力を与えている。
又、カートリッジ引き込みレバー(８)には、ディスクカートリッジの前方端面によって押圧されるべき突片(84)と、ディスクカートリッジの側面に形成された凹部に係合すべき爪片(82)と、前記スライド部材(２)と係合すべきアーム(81)とが突設されている。
更に又、カートリッジ引き込みレバー(８)には、図示省略するカム溝と係合してベース(80)の姿勢を制御するためのカムフォロワー(86)が突設されている。
【００１８】
上記カートリッジ搬送機構においては、カートリッジホルダー(３)内にディスクカートリッジを挿入すると、該ディスクカートリッジの前方端面がカートリッジ引き込みレバー(８)の突片(84)に当接すると共に、該ディスクカートリッジの側面の凹部に爪片(82)が係合することになる。この状態で、カートリッジ引き込みレバー(８)が前後に移動すると、これに伴ってカートリッジホルダー(３)内のディスクカートリッジは、カートリッジ排出位置とカートリッジ引き込み位置の間で往復移動することになる。
【００１９】
磁気ヘッド機構
図１に示す如く、本体シャーシ(１)の後部には、両側板部(11)(11)に磁気ヘッド昇降レバー(９)が架設されている。該磁気ヘッド昇降レバー(９)は、図５に示す如くＬ字状のレバー部(92)と、該レバー部(92)の基端部に突設されたシャフト部(91)と、該シャフト部(91)の一端に突設されたアーム部(93)とを具えている。該磁気ヘッド昇降レバー(９)は、図示省略する第１スプリングによって時計方向に回転付勢されている。
【００２０】
図１の如く磁気ヘッド装置(６)は、基端部にアーム(62)を突設すると共に、先端部に磁気ヘッド(61)を突設しており、図示省略する第２スプリングによって時計方向に回転付勢されている。
磁気ヘッド昇降レバー(９)のレバー部(92)の先端は、磁気ヘッド装置(６)のアーム(62)の先端と対向しており、磁気ヘッド昇降レバー(９)を前記第１スプリングの付勢によって時計方向に回転させることにより、磁気ヘッド装置(６)を前記第２スプリングの付勢に抗して反時計方向に回転させることが可能である。
【００２１】
上記磁気ヘッド機構においては、磁気ヘッド昇降レバー(９)が前記第１スプリングの付勢によって時計方向に回転すると、磁気ヘッド装置(６)は前記第２スプリングの付勢に抗して反時計方向に回転し、これに伴って磁気ヘッド(61)がディスクカートリッジから離間する。又、磁気ヘッド昇降レバー(９)が前記第１スプリングの付勢に抗して反時計方向に回転すると、磁気ヘッド装置(６)は前記第２スプリングの付勢によって時計方向に回転し、これに伴って磁気ヘッド(61)がディスクカートリッジに接近し、ディスク面に圧接されることになる。
【００２２】
原動機構
スライド部材(２)は、図７(ａ)(ｂ)に示す如く前後方向に長い帯板状に形成され、その長手方向に沿ってラック(24)が形成されている。該ラック(24)は、水平直線に沿って伸びる直線部(25)と、該直線部(25)の前方端から円弧線に沿って斜め上方へ伸びる円弧部(26)とから構成されている。
又、スライド部材(２)の本体シャーシ(１)側の側面には、前後の異なる高さ位置に第１ピン(22)及び第２ピン(23)が突設されると共に、前方側の上端部に、互いに対向する一対の突片(27)(27)が形成されている。
スライド部材(２)の一対の突片(27)(27)の間には、図１の如くカートリッジ引き込みレバー(８)のアーム(81)の先端部が侵入している。これによって、スライド部材(２)とカートリッジ引き込みレバー(８)とは一体となって前後方向に移動することになる。
【００２３】
一方、本体シャーシ(１)の左側の側板部(11)には、図３に示す如く、前後に段差を有して第１ガイド溝(13)と第２ガイド溝(16)が開設されている。第１ガイド溝(13)は、水平直線に沿って伸びる直線部(14)と、該直線部(14)の後方端から斜め下方へ伸びる円弧部(15)とから構成されている。又、第２ガイド溝(16)は、水平直線に沿って伸びる直線部(17)と、該直線部(17)の後方端から斜め下方へ伸びる円弧部(19)と、直線部(17)と円弧部(19)を滑らかに繋ぐ連結部(18)とから構成されている。ここで、第２ガイド溝(16)の円弧部(19)は、第１ガイド溝(13)の円弧部(15)の終端を中心とする円弧線に沿って伸びている。
前記スライド部材(２)の第１ピン(22)及び第２ピン(23)はそれぞれ本体シャーシ(１)の第１ガイド溝(13)及び第２ガイド溝(16)に係合しており、これによってスライド部材(２)の往復移動(水平移動及び回動)が案内されている。
【００２４】
本体シャーシ(１)の左側の側板部(11)には、図９に示す如くモータ(71)が取り付けられており、該モータ(71)は、歯車機構(７)を介して、図１の如く側板部(11)に取り付けられたピニオン(72)に連繋している。該ピニオン(72)は、ホルダー昇降レバー(４)のラック(24)に噛合している。
従って、ピニオン(72)がスライド部材(２)のラック(24)の直線部(25)と後方端にて噛合している状態からモータ(71)が起動し、ピニオン(72)が時計方向に回転すると、スライド部材(２)は後方へ駆動されることになる。その後、ピニオン(72)はスライド部材(２)のラック(24)の円弧部(26)と噛合することになり、この状態でピニオン(72)が更に時計方向に回転すると、スライド部材(２)は時計方向に回転駆動されることになる。
【００２５】
カートリッジローディング動作
図１０(ａ)に示すカートリッジエジェクト状態では、スライド部材(２)の第１ピン(22)は本体シャーシ(１)の第１ガイド溝(13)の直線部(14)に係合し、第２ピン(23)は第２ガイド溝(16)に係合している。ホルダー昇降レバー(４)の突出部(42)はスライド部材(２)の上端面(21)に摺接しており、カートリッジホルダー(３)は上昇端に保持されている。
又、磁気ヘッド昇降レバー(９)は、前記第１スプリングの付勢によって時計方向に回動しており、該磁気ヘッド昇降レバー(９)のレバー部先端(92a)は磁気ヘッド装置(６)のアーム(62)を下圧している。これに伴って磁気ヘッド装置(６)は前記第２スプリングの付勢に抗して反時計方向に回動し、磁気ヘッド(61)は上昇端に保持されている。
【００２６】
この状態でカートリッジホルダー(３)内にディスクカートリッジ(10)を挿入すると、図示省略するスイッチがオンとなって、モータ(71)が起動し、ピニオン(72)が時計方向の回転を開始して、スライド部材(２)のラック(24)の直線部(25)を駆動する。これによって、スライド部材(２)は図１０(ｂ)の如く後方端まで移動する。
スライド部材(２)の移動によって前記カートリッジ引き込みレバー(８)が駆動されると、カートリッジ引き込みレバー(８)の移動に伴って、カートリッジホルダー(３)内のディスクカートリッジ(10)がカートリッジ排出位置からカートリッジ引き込み位置まで水平に搬送されることになる。
【００２７】
図１０(ｂ)に示すカートリッジ引き込み状態では、ピニオン(72)はスライド部材(２)のラック(24)の直線部(25)と円弧部(26)の境界位置(24a)に噛合している。又、スライド部材(２)の第１ピン(22)は本体シャーシ(１)の第１ガイド溝(13)の直線部(14)の終端に位置し、第２ピン(23)は第２ガイド溝(16)の直線部(17)の終端に位置している。
又、スライド部材(２)の後方端部(2a)が磁気ヘッド昇降レバー(９)のアーム部(93)に摺接している。
【００２８】
この状態から更にピニオン(72)が時計方向に回転すると、図１１(ａ)に示す如くピニオン(72)はスライド部材(２)のラック(24)の円弧部(26)に噛合する。又、スライド部材(２)の第１ピン(22)は本体シャーシ(１)の第１ガイド溝(13)の円弧部(15)に係合すると共に、第２ピン(23)は第２ガイド溝(16)の円弧部(19)に係合して、スライド部材(２)は、第１ピン(22)を中心として時計方向に回動することになる。
尚、スライド部材(２)が回動しても、スライド部材(２)の突片(27)(27)とカートリッジ引き込みレバー(８)のアーム(81)との係合は外れない。
【００２９】
スライド部材(２)の上端面(21)に突出部(42)が摺接しているホルダー昇降レバー(４)は、スライド部材(２)の時計方向の回動による上端面(21)の下降に伴って、反時計方向の回転を開始する。該ホルダー昇降レバー(４)の反時計方向の回転に伴って、カートリッジホルダー(３)が前記バネ(30)の付勢によって降下する。その後、スライド部材(２)の上端面(21)は、ホルダー昇降レバー(４)の突出部(42)から離間する。これによって、カートリッジホルダー(３)内のディスクカートリッジ(10)は、前記バネ(30)の付勢力を受けて、本体シャーシ(１)上の記録／再生位置に押圧保持されることになる。
この結果、光学ピックアップ(51)によって、ディスクカートリッジ(10)のディスクから信号を再生することが可能となる。
【００３０】
又、スライド部材(２)の後方端部(2a)が磁気ヘッド昇降レバー(９)のアーム部(93)を押し上げ、磁気ヘッド昇降レバー(９)を反時計方向に回転させる。該磁気ヘッド昇降レバー(９)のレバー部(92)の上昇に伴って、磁気ヘッド装置(６)が時計方向に回転し、磁気ヘッド(61)がカートリッジホルダー(３)内のディスクカートリッジ(10)に向かって降下する。
【００３１】
最終的に図１１(ｂ)の如く、ピニオン(72)がスライド部材(２)のラック(24)の円弧部(26)の終端部に噛合し、スライド部材(２)の第２ピン(23)が本体シャーシ(１)の第２ガイド溝(16)の円弧部(19)の終端に達する過程で、磁気ヘッド装置(６)は更に時計方向に回動して、磁気ヘッド(61)が、記録／再生位置のディスクカートリッジ(10)のディスク面に圧接されることになる。
この結果、磁気ヘッド(61)によって、ディスクカートリッジ(10)のディスクに信号を記録することが可能となる。
【００３２】
その後、ディスクカートリッジ(10)を排出する場合には、モータ(71)が逆転して、ピニオン(72)が反時計方向に回転する。これによって、図１１(ｂ)の状態から図１１(ａ)、図１０(ｂ)の状態を経て、最終的に図１０(ａ)に示すカートリッジ排出状態に戻り、ディスクカートリッジ(10)の取り出しが可能となる。
【００３３】
上述の如く本発明に係るディスクカートリッジローディング装置によれば、スライド部材(２)に形成したラック(24)の直線部(25)をピニオン(72)によって駆動することにより、ディスクカートリッジ(10)をカートリッジ排出位置からカートリッジ引き込み位置まで移動させることが出来、引き続いてラック(24)の円弧部(26)をピニオン(72)によって駆動することにより、ディスクカートリッジ(10)をカートリッジ引き込み位置から記録／再生位置まで移動させると共に、記録／再生位置のディスクカートリッジ(10)に対して磁気ヘッド(61)を接近させることが出来る。
従って、従来の如く２つのスライド部材によって上記動作を実現する場合に比べて、部品点数が削減され、動力伝達経路の切替えも不要となって機構が簡易となる。
【図面の簡単な説明】
【図１】本発明に係るディスクカートリッジローディング装置の斜視図である。
【図２】ピックアップ装置の斜視図である。
【図３】本体シャーシの斜視図である。
【図４】カートリッジホルダーの斜視図である。
【図５】磁気ヘッド昇降レバーの斜視図である。
【図６】ホルダー昇降レバーの斜視図である。
【図７】スライド部材の斜視図である。
【図８】カートリッジ引き込みレバーの斜視図である。
【図９】本発明に係るディスクカートリッジローディング装置を示す透視平面図である。
【図１０】該ディスクカートリッジローディング装置におけるローディング動作の前半を表わす透視側面図である。
【図１１】該ディスクカートリッジローディング装置におけるローディング動作の後半を表わす透視側面図である。
【符号の説明】
(１)  本体シャーシ
(２)  スライド部材
(24)  ラック
(25)  直線部
(26)  円弧部
(３)  カートリッジホルダー
(４)  ホルダー昇降レバー
(５)  ピックアップ装置
(６)  磁気ヘッド装置
(７)  歯車機構
(72)  ピニオン
【図１】
0003857943.tif 000002
【図２】
0003857943.tif 000003
【図３】
0003857943.tif 000004
【図４】
0003857943.tif 000005
【図５】
0003857943.tif 000006
【図６】
0003857943.tif 000007
【図７】
0003857943.tif 000008
【図８】
0003857943.tif 000009
【図９】
0003857943.tif 000010
【図１０】
0003857943.tif 000011
【図１１】
0003857943.tif 000012